(57)【特許請求の範囲】
【請求項１】
天井横木の天井までの高さを調節する調節機構を備え、サーバを含む機器類を取り付けることによって収納する収納支柱と、
前記天井横木に設置され、前記機器類の上部に設置される梁部から前記天井横木までの高さが可変する天井欄間壁と、
前記収納支柱に取り付けられ、床から天井までを塞ぐことによって暖気エリアを冷気エリアから区画する壁パネルと、
前記収納支柱に取り付けられ、人が通行できる出入口と、
を備えるサーバ室。
【請求項２】
前記収納支柱は、
標準規格化されている情報機器ユニットの装着用ビス穴の間隔と同間隔のビス穴を有する請求項１記載のサーバ室。
【請求項３】
前記収納支柱は、
標準規格化されている情報機器ユニットの装着用ビス穴の間隔と同間隔のビス穴を有する有孔部材が備える係止部材と嵌合する係止部を備える請求項１記載のサーバ室。
【請求項４】
天井横木の天井までの高さを調節する調節機構を備え、サーバを含む機器類を取り付けることによって収納する収納支柱に前記機器類を取り付け、
前記天井横木に設置され、前記機器類の上部に設置される梁部から前記天井横木までの高さが可変する天井欄間壁と、前記収納支柱に床から天井までを塞ぐことによって暖気エリアを冷気エリアから区画する壁パネルと、を取り付け、
前記収納支柱に人が通行できる出入口を取り付けるサーバ室構築方法。
【請求項５】
前記収納支柱は、
標準規格化されている情報機器ユニットの装着用ビス穴の間隔と同間隔のビス穴を有する請求項４記載のサーバ室構築方法。
【発明の詳細な説明】
【技術分野】
【０００１】
本発明の実施形態は、サーバ室及びサーバ室構築方法に関する。
【背景技術】
【０００２】
従来のサーバ室は、サーバ等の機器類をラックに収納し、このラックを部屋の他の領域から区画されたサーバ室に収納していた。
【０００３】
従って、サーバ室を構築するためには、まずサーバ室を作り、この中サーバ室にラックを収納し、このラックに機器類を収納するという工程が必要となり、工期がかかっていた。
【０００４】
また、ラックを収納するためにはラックの収納に必要なスペースが必要となり、省スペースの要請に応えられなかった。
【先行技術文献】
【特許文献】
【０００５】
【特許文献１】特願２００９−２９０４０６号公報
【発明の概要】
【発明が解決しようとする課題】
【０００６】
従って、工期を短縮でき、省スペース化を図ることができるサーバ室及びサーバ室構築方法が求められている。
【課題を解決するための手段】
【０００７】
上記の課題を解決するために、本発明の一実施形態は、天井横木の天井までの高さを調節する調節機構を備え、サーバを含む機器類を取り付けることによって収納する収納支柱と、天井横木に設置され、機器類の上部に設置される梁部から天井横木までの高さが可変する天井欄間壁と、収納支柱に取り付けられ、床から天井までを塞ぐことによって暖気エリアを冷気エリアから区画する壁パネルと、収納支柱に取り付けられ、人が通行できる出入口と、を備えるサーバ室を提供する。
【図面の簡単な説明】
【０００８】
【図１】サーバ室の斜視図である。
【図２】収納支柱の外観斜視図である。
【図３】収納支柱に機器類を収納した様子を示す斜視図である。
【図４】収納支柱の組み立て例を示す図である。
【図５】支柱部の構成を示す図である。
【図６】欄間壁の高さの調節を示す図である。
【図７】出入口の例を示す図である。
【図８】支柱部に取付部材が取り付けられる様子を示す図である。
【図９】支柱部に取付部材が取り付けられる様子を示す図である。
【図１０】取付部材に出入口が取り付けられる様子を示す図である。
【発明を実施するための形態】
【０００９】
以下、サーバ室及びサーバ室構築方法の一実施形態について、図面を用いて詳細に説明する。
【００１０】
本実施形態のサーバ室は、サーバを含む機器類を取り付けることによって収納する収納支柱と、収納支柱に取り付けられ、床から天井までを塞ぐことによって暖気エリアを冷気エリアから区画する壁パネルと、収納支柱に取り付けられ、人が通行できる出入口と、を備える。
【００１１】
図１は、サーバ室１の斜視図である。図１に示すように、本実施形態のサーバ室１は、サーバ等の機器類２０を取り付けることによって収納する収納支柱１１と、収納支柱１１に取り付けられ、床から天井までを塞ぐことによって暖気エリア１４を冷気エリア１３から区画する壁パネル１２と、収納支柱１１に取り付けられ、人が通行できる出入口１５と、を備える。
【００１２】
サーバ室１は、さらに冷気エリア１３に冷気を送風する空調機器１６を備えていてもよい。
【００１３】
サーバ室１は、機器類２０と天井との間に設けられ、暖気エリア１４を冷気エリア１３から区画する欄間壁１２１を備えていてもよい。
【００１４】
収納支柱１１は、機器類を収納する支柱と、壁パネル１２を取り付ける支柱とを兼ねる。従って、機器類２０を収納するラックが不要となり、省スペース、作業工数の削減の効果がある。
【００１５】
壁パネル１２は、床から天井までを塞ぐことによって暖気エリア１４を冷気エリア１３から区画する。なお、この場合の天井は、サーバ室１が設置される部屋の天井とは別体に、収納支柱１１の上部を覆うように設けられてもよい。
【００１６】
壁パネル１２は、暖気エリア１４を冷気エリア１３から区画するため、機器類２０を効率的に冷却することが可能となる。
【００１７】
図２は、収納支柱１１の外観斜視図である。図２に示すように、収納支柱１１は、床の上に設置される横木である床横木１１３と、床横木１１３の上に鉛直方向に立てられる支柱部１１２と、支柱部１１２と天井との間に設けられる天井横木１１１と、を備える。
【００１８】
支柱部１１２は、機器類２０をビス止めするビス穴１１２Ａを有する。ビス穴１１２Ａの間隔は、標準規格化されている情報機器ユニットの装着の穴間隔に合わせることが望ましい。すなわち支柱部１１２は、標準規格化されている情報機器ユニットの装着用ビス穴の間隔と同間隔のビス穴１１２Ａを有する。
【００１９】
図３は、収納支柱１１に機器類２０を収納した様子を示す斜視図である。図３に示すように、収納支柱１１は機器類２０を、機器類２０が有するビス挿通孔と収納支柱１１のビス穴１１２Ａとをボルト乃至ビスによって伴締めすることにより収納する。
【００２０】
機器類２０の重量が重い場合には、支柱部１１２同士を連結する補助横木１１２Ｂを使用することができる。
【００２１】
図４は、収納支柱１１の組み立て例を示す図である。図４に示すように、サーバ室１は、収納支柱１１に、欄間壁１２１及び出入口１５を、暖気エリア１４を冷気エリア１３から区画するように設けることもできる。
【００２２】
欄間壁１２１及び出入口１５は、支柱部１１２に取り付けられる。
【００２３】
図５は、支柱部１１２の構成を示す図である。図５に示すように、支柱部１１２は、例えば断面が正方形乃至長方形の角型鋼を用いることができる。
【００２４】
支柱部１１２は、機器類２０を収納ためのものと壁パネル１２を取り付けるためのものとの２種類を用意してもよいが、図５には１種類によって構成する例を示す。
【００２５】
この場合、支柱部１１２とは別体の、ビス穴１１２Ａを有する有孔部材５１１と、壁パネル１２を取り付けるための取付部材５２１と、を設ける。
【００２６】
支柱部１１２は有孔部材５１１又は取付部材５２１を取り付けるための係止部５０２を有する。
【００２７】
有孔部材５１１及び取付部材５２１は、係止部５０２と嵌合する係止部材５１２を有する。
【００２８】
有孔部材５１１及び取付部材５２１の係止部材５１２は、矢印Ｘ２に示す方向に係止部５０２に嵌め込まれる。
【００２９】
壁パネル１２は、取付部材５２１が有する取付孔５２３を介して取付部材５２１に取り付けられる。
【００３０】
具体的には、壁パネル１２はボルトを挿通するボルト穴を有する溝部１５２を有する。取付部材５２１は溝部１５２と嵌合する突起部を有し、この突起部は溝部を嵌合した状態にて壁パネル１２にボルトによって伴締めされる。取付部材５２１は係止部５０２と嵌合される。
【００３１】
支柱部１１２は、欄間壁１２１を、欄間壁１２１の下端から固定する梁部１１４を有する。
【００３２】
支柱部１１２はさらに、天井横木１１１の天井までの高さを調節する調節機構５３１を備える。調節機構５３１は、支柱部１１２の長手方向に沿って取り付けられる補助支柱部１１２Ｃの、矢印Ｘ１に示す鉛直方向の長さを調節する。
【００３３】
図６は、欄間壁１２１の高さの調節を示す図である。図６に示すように、欄間壁１２１は、天井横木１１１に固定される天井欄間壁１２１Ａと、梁部１１４に固定される梁欄間壁１２１Ｂと、を備えていてもよい。
【００３４】
この場合、調節機構５３１によって天井横木１１１の天井までの高さが変更された場合でも、サーバ室１は天井欄間壁１２１Ａ及び梁欄間壁１２１Ｂによって暖気エリア１４を冷気エリア１３から区画することが可能となる。
【００３５】
図７は、出入口１５の例を示す図である。図７に示すように、出入口１５は三方枠１５１に溝部１５２を有する、出入口１５は取付部材５２１を介して支柱部１１２に取り付けられる。
【００３６】
すなわち、取付部材５２１は溝部１５２と嵌合する突起部を有し、この突起部は溝部を嵌合した状態にて三方枠１５１にボルトによって伴締めされる。取付部材５２１は係止部５０２と嵌合される。
【００３７】
図８及び図９は、支柱部１１２に取付部材５２１が取り付けられる様子を示す図である。
【００３８】
取付部材５２１は係止部５０２に挿入され、その後下方に移動されることにより嵌合される。
【００３９】
図１０は、支柱部１１２への出入口１５の取り付けの様子を示す図である。図１０に示すように、三方枠１５１は矢印Ｘ４に示す方向に、溝部１５２と取付部材５２１が嵌合するように取り付けられる。
【００４０】
取付部材５２１と三方枠１５１はボルトによって伴締めされる。
【００４１】
以上述べたように、本実施形態のサーバ室１は、サーバ等の機器類２０を取り付けることによって収納する収納支柱１１と、収納支柱１１に取り付けられ、床から天井までを塞ぐことによって暖気エリア１４を冷気エリア１３から区画する壁パネル１２と、人が通行できる出入口１５と、を備える。
【００４２】
従って、工期を短縮でき、省スペース化を図ることができるという効果がある。また、サーバ室構築の構成部材を効率化してコストを低減できるという効果がある。
【００４３】
いくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００４４】
１：サーバ室
１１：収納支柱
１２：壁パネル
１１２：支柱部
１１２Ａ：ビス穴
【要約】
【課題】工期を短縮でき、省スペース化を図ることができるサーバ室及びサーバ室構築方法を提供する。
【解決手段】サーバ室は、サーバを含む機器類を取り付けることによって収納する収納支柱と、収納支柱に取り付けられ、床から天井までを塞ぐことによって暖気エリアを冷気エリアから区画する壁パネルと、収納支柱に取り付けられ、人が通行できる出入口と、を備える。収納支柱は、標準規格化されている情報機器ユニットの装着用ビス穴の間隔と同間隔のビス穴を有する。天井は、サーバ室が設置される部屋の天井とは別体に、収納支柱の上部を覆うように設けられてもよい。
【選択図】図１【図１】
0005564598.tif 000002
【図２】
0005564598.tif 000003
【図３】
0005564598.tif 000004
【図４】
0005564598.tif 000005
【図５】
0005564598.tif 000006
【図６】
0005564598.tif 000007
【図７】
0005564598.tif 000008
【図８】
0005564598.tif 000009
【図９】
0005564598.tif 000010
【図１０】
0005564598.tif 000011